(57)【要約】      （修正有）【課題】無線通信システムのために必要な帯域幅要件の増加の問題に対処するために、高いデータ・スループットを達成しながら、同一チャネル（同じ時間及び周波数リソース）を共有することによって複数のユーザ端末が単一の基地局と通信することを可能にする。【解決手段】空間分割多元接続（ＳＤＭＡ）に基づく複数入力複数出力（ＭＩＭＯ）システムにおいて、第１の送信機会の間に、各無線装置のためのデータ・フレームを備える送信を無線装置へ送信することと、１つ又は複数の第２の送信機会の間に、無線装置からのデータ・フレームの受信のアクノレッジメント（acknowledgements）を受信することとを含む。第１の送信機会はダウンリンク送信機会を備えることができ、第２の送信機会はアップリンク送信機会を備えることができる。【選択図】図８
2014147083.tif 000002
【特許請求の範囲】
【請求項１】
複数の無線装置へデータを送信するための方法であって、
第１の送信機会の間に、前記複数の無線装置へ、各無線装置のためのデータ・フレームを含む送信を送信することと、
１つ又は複数の第２の送信機会の間に、前記複数の無線装置から前記データ・フレームの受信のアクノレッジメントを受信することと、
を備える方法。
【請求項２】
前記送信は、前記第２の送信機会の開始を示すフレームを含む、請求項１に記載の方法。
【請求項３】
前記送信は、各無線装置のためのブロック・アクノレッジメント要求を含む、請求項１に記載の方法。
【請求項４】
前記送信は、空間分割多元接続（SDMA）スキームにより送信される、請求項１に記載の方法。
【請求項５】
前記データ・フレームの受信のアクノレッジメントを受信することは、空間分割多元接続（SDMA）スキームにより複数のアクノレッジメントを同時に受信することを備える、請求項１に記載の方法。
【請求項６】
前記データ・フレームは、ユーザ・データグラム・プロトコル（UDP）フレームを含む、請求項１に記載の方法。
【請求項７】
前記データ・フレームは、送信制御プロトコル（TCP）フレームを含む、請求項１に記載の方法。
【請求項８】
前記データ・フレームは、ストリーミング・ビデオ・データを含む、請求項１に記載の方法。
【請求項９】
無線通信の方法であって、
複数のデータ・フレームが複数の無線装置へ送信された第１の送信機会の間に、データ・フレームを含む送信を受信することと、
第２の送信機会の間に、前記データ・フレームの受信のアクノレッジメントを送信することと、
を備える方法。
【請求項１０】
前記送信は、前記第２の送信機会の開始を示すフレームを含む、請求項９に記載の方法。
【請求項１１】
前記送信は、各無線装置のためのブロック・アクノレッジメント要求を含む、請求項９に記載の方法。
【請求項１２】
前記データ・フレームは、空間分割多元接続（SDMA）スキームにより前記複数の無線装置へ同時に送信された、請求項９に記載の方法。
【請求項１３】
前記第２の送信機会の間に、前記受信したデータ・フレームのアクノレッジメントを送信することは、他の無線装置によって送信されたアクノレッジメントと同時に前記アクノレッジメントを送信することを備える、請求項９に記載の方法。
【請求項１４】
前記データ・フレームは、ユーザ・データグラム・プロトコル（UDP）フレームを含む、請求項９に記載の方法。
【請求項１５】
前記データ・フレームは、送信制御プロトコル（TCP）フレームを含む、請求項９に記載の方法。
【請求項１６】
前記データ・フレームは、ストリーミング・ビデオ・データを含む、請求項９に記載の方法。
【請求項１７】
複数の無線装置へデータを送信するための装置であって、
第１の送信機会の間に、前記複数の無線装置へ、データ・フレームを含む送信を送信する送信機と、
１つ又は複数の第２の送信機会の間に、前記複数の無線装置から前記データ・フレームの受信のアクノレッジメントを受信する受信機と、
を備える装置。
【請求項１８】
前記送信は、前記第２の送信機会の開始を示すフレームを含む、請求項１７に記載の装置。
【請求項１９】
前記送信は、各無線装置のためのブロック・アクノレッジメント要求を含む、請求項１７に記載の装置。
【請求項２０】
前記送信は、空間分割多元接続（SDMA）スキームにより送信される、請求項１７に記載の装置。
【請求項２１】
前記受信機は、空間分割多元接続（SDMA）スキームにより複数のアクノレッジメントを同時に受信する、請求項１７に記載の装置。
【請求項２２】
前記データ・フレームは、ユーザ・データグラム・プロトコル（UDP）フレームを含む、請求項１７に記載の装置。
【請求項２３】
前記データ・フレームは、送信制御プロトコル（TCP）フレームを含む、請求項１７に記載の装置。
【請求項２４】
前記データ・フレームは、ストリーミング・ビデオ・データを含む、請求項１７に記載の装置。
【請求項２５】
無線通信のための装置であって、
複数のデータ・フレームが複数の無線装置へ送信された第１の送信機会の間に、データ・フレームを含む送信を受信する受信機と、
第２の送信機会の間に、前記データ・フレームの受信のアクノレッジメントを送信する送信機と、
を備える装置。
【請求項２６】
前記送信は、前記第２の送信機会の開始を示すフレームを含む、請求項２５に記載の装置。
【請求項２７】
前記送信は、各無線装置のためのブロック・アクノレッジメント要求を備える、請求項２５に記載の装置。
【請求項２８】
前記データ・フレームは、空間分割多元接続（SDMA）スキームにより前記複数の無線装置へ同時に送信された、請求項２５に記載の装置。
【請求項２９】
前記送信機は、他の無線装置によって送信されるアクノレッジメントと同時に前記アクノレッジメントを送信する、請求項２５に記載の装置。
【請求項３０】
前記データ・フレームは、ユーザ・データグラム・プロトコル（UDP）フレームを含む、請求項２５に記載の装置。
【請求項３１】
前記データ・フレームは、送信制御プロトコル（TCP）フレームを含む、請求項２５に記載の装置。
【請求項３２】
前記データ・フレームは、ストリーミング・ビデオ・データを含む、請求項２５に記載の装置。
【請求項３３】
複数の無線装置へデータを送信するための装置であって、
第１の送信機会の間に、前記複数の無線装置へ、データ・フレームを含む送信を送信する手段と、
１つ又は複数の第２の送信機会の間に、前記複数の無線装置から前記データ・フレームの受信のアクノレッジメントを受信する手段と、
を備える装置。
【請求項３４】
前記送信は、前記第２の送信機会の開始を示すフレームを含む、請求項３３に記載の装置。
【請求項３５】
前記送信は、各無線装置のためのブロック・アクノレッジメント要求を含む、請求項３３に記載の装置。
【請求項３６】
前記送信は、空間分割多元接続（SDMA）スキームにより送信される、請求項３３に記載の装置。
【請求項３７】
前記受信する手段は、空間分割多元接続（SDMA）スキームにより複数のアクノレッジメントを同時に受信する、請求項３３に記載の装置。
【請求項３８】
前記データ・フレームは、ユーザ・データグラム・プロトコル（UDP）フレームを含む、請求項３３に記載の装置。
【請求項３９】
前記データ・フレームは、送信制御プロトコル（TCP）フレームを含む、請求項３３に記載の装置。
【請求項４０】
前記データ・フレームは、ストリーミング・ビデオ・データを含む、請求項３３に記載の装置。
【請求項４１】
無線通信のための装置であって、
複数のデータ・フレームが複数の無線装置へ送信された第１の送信機会の間に、データ・フレームを含む送信を受信する手段と、
第２の送信機会の間に、前記受信したデータ・フレームのアクノレッジメントを送信する手段と、
を備える装置。
【請求項４２】
前記送信は、前記第２の送信機会の開始を示すフレームを含む、請求項４１に記載の装置。
【請求項４３】
前記送信は、各無線装置のためのブロック・アクノレッジメント要求を含む、請求項４１に記載の装置。
【請求項４４】
前記データ・フレームは、空間分割多元接続（SDMA）スキームにより前記複数の無線装置へ同時に送信された、請求項４１に記載の装置。
【請求項４５】
前記受信したデータ・フレームのアクノレッジメントを送信する手段は、他の無線装置によって送信されたアクノレッジメントと同時に前記アクノレッジメントを送信する、請求項４１に記載の装置。
【請求項４６】
前記データ・フレームは、ユーザ・データグラム・プロトコル（UDP）フレームを含む、請求項４１に記載の装置。
【請求項４７】
前記データ・フレームは、送信制御プロトコル（TCP）フレームを含む、請求項４１に記載の装置。
【請求項４８】
前記データ・フレームは、ストリーニング・ビデオ・データを含む、請求項４１に記載の装置。
【請求項４９】
通信のためのコンピュータ・プログラム製品であって、
第１の送信機会の間に、複数の無線装置へ、データ・フレームを含む送信を送信することと、
１つ又は複数の第２の送信機会の間に、前記複数の無線装置から前記データ・フレームのアクノレッジメントを受信することと、
が実行可能な命令を備えるコンピュータ読取可能媒体を備えるコンピュータ・プログラム製品。
【請求項５０】
通信のためのコンピュータ・プログラム製品であって、
複数のデータ・フレームが複数の無線装置へ送信された第１の送信機会の間に、データ・フレームを含む送信を受信することと、
第２の送信機会の間に、前記受信したデータ・フレームのアクノレッジメントを送信することと、
が実行可能な命令を備えるコンピュータ読取可能媒体を備えるコンピュータ・プログラム製品。
【請求項５１】
少なくとも１つのアンテナと、
第１の送信機会の間に、複数の無線装置へ、データ・フレームを含む送信を前記アンテナを介して送信する送信機と、
１つ又は複数の第２の送信機会の間に、前記アンテナを介して、前記複数の無線装置から前記データ・フレームの受信のアクノレッジメントを受信する受信機と、
を備える無線アクセス・ポイント。
【請求項５２】
少なくとも１つのアンテナと、
複数のデータ・フレームが複数の無線装置へ送信された第１の送信機会の間に、前記アンテナを介して、データ・フレームを含む送信を受信する受信機と、
第２の送信機会の間に、前記アンテナを介して、前記データ・フレームの受信のアクノレッジメントを送信する送信機と、
を備える無線局。
【発明の詳細な説明】
【優先権の主張】
【０００１】
本願は、本願の譲受人に譲渡され、参照によって本願に明確に組み込まれた、２００９年２月２７日出願の“VIDEO TRANSMISSION OVER SDMA”と題された米国特許仮出願第６１／１５６４０２号の利益を主張する。
【技術分野】
【０００２】
本開示は、一般に通信に関し、特に、空間分割多元接続（ＳＤＭＡ：spatial division multiple access）システムに関する。
【背景技術】
【０００３】
無線通信システムのために必要な帯域幅要件の増加の問題に対処するために、高いデータ・スループットを達成しながら、同一チャネル（同じ時間及び周波数リソース）を共有することによって複数のユーザ端末が単一の基地局と通信することを可能にするために様々なスキームが開発されている。空間分割多元接続（ＳＤＭＡ）は、次世代の通信システムのための一般的な技術として昨今登場した１つのそのようなアプローチを示す。
【０００４】
ＳＤＭＡシステムにおいて、基地局は、同じ時間に同じ周波数を用いて複数のモバイル・ユーザ端末と、様々な信号を送受信することができる。信頼できるデータ通信を達成するために、ユーザ端末は、あらゆる方向に向かって存在する必要がある。個々の信号は、基地局における複数の空間分離型アンテナの各々から同時に送信されうる。従って、結合された送信は指向性であることができる。すなわち、各ユーザ端末専用の信号は、特定のユーザ端末の方向において比較的強く、他のユーザ端末の方向において十分弱くなりうる。同様に、基地局は、空間において分離された複数のアンテナの各々を通して複数のユーザ端末からの結合された信号を同一の周波数で同時に受信することができ、複数のアンテナからの結合された受信信号は、適切な信号処理技術を適用することによって、各ユーザ端末から送信された個々の信号に分割されうる。
【０００５】
複数入力複数出力（ＭＩＭＯ：Multiple Input Multiple Output）無線システムは、データ送信のために複数（ＮＴ個）の送信アンテナ及び複数（ＮＲ個）の受信アンテナを用いる。ＮＴ個の送信アンテナ及びＮＲ個の受信アンテナによって形成されたＭＩＭＯチャネルは、ＮＳ個の空間ストリームに分割され、全ての実用目的の場合、ＮＳｍｉｎ｛ＮＴ，ＮＲ｝である。ＮＳ個の空間ストリームは、より良い全体スループットを達成するために、ＮＳ個の個々のデータ・ストリームを送信するために用いられうる。
【０００６】
ＳＤＭＡに基づく多元接続ＭＩＭＯシステムにおいて、アクセス・ポイントは、任意の所与の瞬間に、１つ又は複数のユーザ端末と通信することができる。アクセス・ポイントが単一のユーザ端末と通信する場合、ＮＴ個の送信アンテナは、１つの送信エンティティ（アクセス・ポイント又はユーザ端末のいずれか）に関連付けられ、ＮＲ個の受信アンテナは、１つの受信エンティティ（ユーザ端末又はアクセス・ポイントのいずれか）に関連付けられる。アクセス・ポイントは、ＳＤＭＡを介して複数のユーザ端末と同時に通信することもできる。ＳＤＭＡの場合、アクセス・ポイントは、データ送受信のための複数のアンテナを用い、ユーザ端末の各々は一般に、データ送受信のための複数のアクセス・ポイント・アンテナよりも少ない数を用いる。ＳＤＭＡがアクセス・ポイントから送信される場合、ＮＳ＝ｍｉｎ{ＮＴ，ｓｕｍ（ＮＲ）}であり、ｓｕｍ（ＮＲ）は、ユーザ端末の受信アンテナ全ての総和を表す。ＳＤＭＡがアクセス・ポイントへ送信される場合、ＮＳ＝ｍｉｎ｛ｓｕｍ（ＮＴ），ＮＲ｝であり、ｓｕｍ（ＮＴ）は、ユーザ端末の送信アンテナ全ての総和を表す。
【発明の概要】
【０００７】
ある態様は、複数の無線装置へデータを送信するための方法を提供する。この方法は一般に、第１の送信機会の間に、各無線装置のためのデータ・フレームを備える送信を無線装置へ送信することと、１つ又は複数の第２の送信機会の間に、無線装置からのデータ・フレームの受信のアクノレッジメント（acknowledgements）を受信することとを含む。ある態様の場合、第１の送信機会はダウンリンク送信機会を備えることができ、第２の送信機会はアップリンク送信機会を備えることができる。
【０００８】
ある態様は、無線通信の方法を提供する。この方法は一般に、複数のデータ・フレームが複数の無線装置へ送信された第１の送信機会の間に、データ・フレームを備える送信を受信することと、第２の送信機会の間に、データ・フレームの受信のアクノレッジメントを送信することとを含む。ある態様の場合、第１の送信機会はダウンリンク送信機会を備えることができ、第２の送信機会はアップリンク送信機会を備えることができる。
【０００９】
ある態様は、複数の無線装置へデータを送信するための装置を提供する。この装置は一般に、第１の送信機会の間に、データ・フレームを備える送信を無線装置へ送信するための送信機と、１つ又は複数の第２の送信機会の間に、無線装置からのデータ・フレームの受信のアクノレッジメントを受信するための受信機とを含む。
【００１０】
ある態様は、無線通信のための装置を提供する。この装置は一般に、複数のデータ・フレームが複数の無線装置へ送信された第１の送信機会の間に、データ・フレームを備える送信を受信するための受信機と、第２の送信機会の間に、該データ・フレームの受信のアクノレッジメントを送信するための送信機とを含む。
【００１１】
ある態様は、複数の無線装置へデータを送信するための装置を提供する。この装置は一般に、第１の送信機会の間に、データ・フレームを備える送信を無線装置へ送信するための手段と、１つ又は複数の第２の送信機会の間に、無線装置からのデータ・フレームの受信のアクノレッジメントを受信するための手段とを含む。
【００１２】
ある態様は、無線通信のための装置を提供する。この装置は一般に、複数のデータ・フレームが複数の無線装置へ送信された第１の送信機会の間に、データ・フレームを備える送信を受信するための手段と、第２の送信機会の間に、受信したデータ・フレームのアクノレッジメントを送信するための手段とを含む。  
ある態様は、命令を備えるコンピュータ読取可能媒体を備える、通信のためのコンピュータ・プログラム製品を提供する。この命令は一般に、第１の送信機会の間に、データ・フレームを備える送信を複数の無線装置へ送信し、１つ又は複数の第２の送信機会の間に、無線装置からのデータ・フレームの受信のアクノレッジメントを受信するように実行可能である。
【００１３】
ある態様は、命令を備えるコンピュータ読取可能媒体を備える、通信のためのコンピュータ・プログラム製品を提供する。この命令は一般に、複数のデータ・フレームが複数の無線装置へ送信された第１の送信機会の間に、データ・フレームを備える送信を受信し、第２の送信機会の間に、受信したデータ・フレームのアクノレッジメントを送信するように実行可能である。
【００１４】
ある態様は、無線アクセス・ポイントを提供する。このアクセス・ポイントは一般に、少なくとも１つのアンテナと、第１の送信機会の間に、アンテナを介して、データ・フレームを備える送信を複数の無線装置へ送信するための送信機と、１つ又は複数の第２の送信機会の間に、アンテナを介して、無線装置からのデータ・フレームの受信のアクノレッジメントを受信するための受信機とを含む。
【００１５】
ある態様は、無線局を提供する。この無線局は一般に、少なくとも１つのアンテナと、複数のデータ・フレームが複数の無線装置へ送信された第１の送信機会の間に、アンテナを介して、データ・フレームを備える送信を受信するための受信機と、第２の送信機会の間に、アンテナを介して、データ・フレームの受信のアクノレッジメントを送信するための送信機とを含む。
【００１６】
本開示の上記特徴が詳しく理解されうるように、態様への参照によって、簡略な上記記載のより具体的な説明がなされ、そのうちのいくつかは添付図面において示される。しかし、詳細な説明は他の等しく効果のある態様も認めるが、図面は本開示のある典型的な態様しか示さないので、本開示の範囲を限定することは意図されないことが留意されるべきである。
【図面の簡単な説明】
【００１７】
【図１】図１は、本開示のある態様に従って、空間分割多元接続複数入力／複数出力（ＭＩＭＯ）無線システムを示す。
【図２】図２は、本開示のある態様に従って、アクセス・ポイント及び２つのユーザ端末のブロック図を示す。
【図３】図３は、本開示のある態様に従って、無線デバイスにおいて用いられうる様々な構成要素を示す。
【図４】図４は、本開示のある態様に従って、データ・フレームのためのアクノレッジメント（ＡＣＫ）ポリシ（policy）の例を示す。
【図５】図５は、本開示のある態様に従って、ブロックＡＣＫ要求（ＢＡＲ）フレームのためのアクノレッジメント（ＡＣＫ）ポリシを示す。
【図６】図６は、本開示の態様が用いられうる環境の例を示す。
【図７】図７は、本開示のある態様に従って、データ・フレームを送信するための動作の例を示す。
【図７Ａ】図７Ａは、図７に示す動作を実行することができる回路の例を示す。
【図８】図８は、本開示のある態様に従って、フレーム交換の例を示す。
【図９】図９は、本開示のある態様に従って、フレーム交換の例を示す。
【図１０】図１０は、本開示のある態様に従って、フレーム交換の例を示す。
【図１１】図１１は、本開示のある態様に従って、フレーム交換の例を示す。
【図１２】図１２は、本開示のある態様に従って、フレーム交換の例を示す。
【図１３】図１３は、本開示のある態様に従って、フレーム交換の例を示す。
【図１４】図１４は、本開示のある態様に従って、フレーム交換の例を示す。
【詳細な説明】
【００１８】
本開示のある態様は、空間分割多元接続（ＳＤＭＡ）システムにおいて、例えばビデオ・データのようなデータを送信するために用いることができる技術及び装置を提供する。
【００１９】
（無線通信システムの例）
本開示のある態様の様々な態様が以下で説明される。本明細書における教示は、広く様々な形式で具現化することができ、本明細書に開示された具体的な構成、機能、又はそれら両方は、何れも典型例を示しているにすぎないことが明らかであるべきである。本明細書の教示に基づいて、当業者は、本明細書に開示された態様が他の任意の態様から独立して実現されうることと、これらの態様のうちの２つ又はそれ以上が様々な方法によって組み合わされうることとを理解するべきである。例えば本明細書に記載された任意の数の態様を用いて装置を実現し、方法を実施することができる。更に、本明細書に記載された態様のうちの１つ又は複数とは別に、又はそれらに加えて、他の構成、機能、又は構成及び機能を用いてそのような装置を実現し、そのような方法を実施することができる。更に、態様は、少なくとも１つの特許請求の範囲の要素を備えることができる。
【００２０】
「典型的」という用語は、本明細書において、「例、例示、又は実例を提供する」ことを意味する。本明細書において「典型的」であると説明された任意の態様は、必ずしも他の態様に対して優位あるいは有利であるとは解釈されない。
【００２１】
本明細書に記載されたマルチ・アンテナ送信技術は、例えば符号分割多元接続（ＣＤＭＡ）、直交周波数分割多重（ＯＦＤＭ）、時分割多元接続（ＴＤＭＡ）等のような様々な無線技術と組み合わせて用いることができる。複数のユーザ端末が、（１）ＣＤＭＡの場合、異なる直交符号チャネル、（２）ＴＤＭＡの場合、異なるタイム・スロット、又は（３）ＯＦＤＭの場合、異なるサブバンド、を介してデータを同時に送信／受信することができる。ＣＤＭＡシステムは、ＩＳ−２０００、ＩＳ−９５、ＩＳ−８５６、広帯域ＣＤＭＡ（Ｗ−ＣＤＭＡ）、又は他のいくつかの規格を実施することができる。ＯＦＤＭシステムは、ＩＥＥＥ８０２．１１又はその他いくつかの規格を実施することができる。ＴＤＭＡシステムは、ＧＳＭ(登録商標)又はその他いくつかの規格を実施することができる。これらの様々な規格は、当該技術において周知である。
【００２２】
図１は、アクセス・ポイントとユーザ端末とを有する多元接続ＭＩＭＯシステム１００を示す。簡略化のために、図１には１つのアクセス・ポイント１１０しか示さない。アクセス・ポイントは一般に、ユーザ端末と通信する固定局であり、基地局、あるいはその他何らかの用語としても称されうる。ユーザ端末は、固定又はモバイルであり、モバイル局、無線デバイス、単に「局」、あるいはその他何らかの用語としても称されうる。アクセス・ポイント１１０は、所与の時間に、ダウンリンク及びアップリンクにおいて１つ又は複数のユーザ端末１２０と通信することができる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末は、別のユーザ端末とピア・ツー・ピアを通信することもできる。システム・コントローラ１３０は、アクセス・ポイントに結合し、アクセス・ポイントのための調整及び制御を提供する。
【００２３】
以下の説明の一部は、ある態様について、ＳＤＭＡを介して通信することができるユーザ端末１２０を説明するが、ユーザ端末１２０は、ＳＤＭＡをサポートしないいくつかのユーザ端末を含むこともできる。従って、そのような態様の場合、ＡＰ１１０は、ＳＤＭＡ及び非ＳＤＭＡ両方のユーザ端末と通信するように構成されうる。このアプローチは、新しいＳＤＭＡユーザ端末が適切であることを考慮するが、古いバージョンのユーザ端末（「レガシ」局）が事業に参加し続けることも便宜上可能とする。
【００２４】
システム１００は、ダウンリンク及びアップリンクにおけるデータ送信のための複数の送信アンテナ及び複数の受信アンテナを用いる。アクセス・ポイント１１０は、Ｎap個のアンテナを備え、ダウンリンク送信のための複数入力（ＭＩ）及びアップリンク送信のための複数出力（ＭＯ）を表す。Ｎu個の選択されたユーザ端末１２０のセットは、ダウンリンク送信のための複数出力及びアップリンク送信のための複数入力を集合的に表す。純粋なＳＤＭＡの場合、Ｎu個のユーザ端末のためのデータ・シンボル・ストリームがいくつかの手段によって符号、周波数、又は時間において多重化されていない場合、Ｎap≧Ｎu≧１であることが望ましい。ＣＤＭＡでは異なる符号チャネルを用いて、ＯＦＤＭではサブバンドの互いに素の集合などを用いて、データ・シンボル・ストリームが多重化できる場合、ＮuはＮapよりも大きくなりうる。選択された各ユーザ端末は、ユーザ指定データをアクセス・ポイントへ送信する、及び／又はアクセス・ポイントからのユーザ指定データを受信する。一般に、選択された各ユーザ端末は、１つ又は複数のアンテナを備えることができる（すなわち、Ｎut≧１である）。Ｎu個の選択されたユーザ端末は、同じ数又は異なる数のアンテナを有することができる。
【００２５】
ＳＤＭＡシステム１００は、時分割二重通信（ＴＤＤ）システム又は周波数分割二重通信（ＦＤＤ）システムであることができる。ＴＤＤシステムの場合、ダウンリンク及びアップリンクは同じ周波数帯域を共有する。ＦＤＤシステムの場合、ダウンリンク及びアップリンクは異なる周波数帯域を用いる。ＭＩＭＯシステム１００はまた、送信のために単一の搬送波又は複数の搬送波を用いることもできる。各ユーザ端末は、（例えば、コスト削減を保つために）単一のアンテナを備えることも、あるいは（例えば、更なるコストがサポートされうる場合）複数のアンテナを備えることもできる。
【００２６】
図２は、ＭＩＭＯシステム１００におけるアクセス・ポイント１１０と２つのユーザ端末１２０ｍ及び１２０ｘとのブロック図を示す。アクセス・ポイント１１０は、アンテナ２２４ａ乃至２２４ｔを備える。ユーザ端末１２０ｍは、アンテナ２５２ｍａ乃至２５２ｍｕを備え、ユーザ端末１２０ｘは、アンテナ２５２ｘａ乃至２５２ｘｕを備える。アクセス・ポイント１１０は、ダウンリンクのための送信エンティティ及びアップリンクのための受信エンティティである。各ユーザ端末１２０は、アップリンクのための送信エンティティ及びダウンリンクのための受信エンティティである。本明細書で用いられる場合、「送信エンティティ」は、無線チャネルを介してデータを送信することができる、独立して動作する装置あるいはデバイスであり、「受信エンティティ」は、無線チャネルを介してデータを受信することができる、独立して動作する装置あるいはデバイスである。以下の説明において、下付文字「ｄｎ」はダウンリンクを示し、下付文字「ｕｐ」はアップリンクを示す。アップリンクにおける同時送信のためにＮup個のユーザ端末が選択され（すなわち、Ｎup個のユーザ端末がＳＤＭＡを介して同時にアップリンクでＡＰへ送信することができ）、ダウンリンクにおける同時送信のためにＮdn個のユーザ端末が選択される（すなわち、ＡＰはＮdn個のユーザ端末へ同時にＳＤＭＡを介してダウンリンクで送信することができる）。Ｎup及びＮdnは等しいことも異なることもあり、Ｎup及びＮdnは一定の値であることも、各スケジューリング間隔について変わることもできる。ビーム・ステアリング(beam-steering)又はその他何らかの空間処理技術が、アクセス・ポイント及びユーザ端末において用いられうる。
【００２７】
アップリンクにおいて、アップリンク送信のために選択された各ユーザ端末１２０で、ＴＸデータ・プロセッサ２８８は、データ・ソース２８６からのトラヒック・データを受信し、コントローラ２８０からのデータを制御する。ＴＸデータ・プロセッサ２８８は、ユーザ端末のために選択されたレートに関連付けられたコーディング・スキーム及び変調スキームに基づいて、ユーザ端末のためのトラヒック・データを処理（例えば、符号化、インタリーブ、及び変調）し、データ・シンボル・ストリームを提供する。ＴＸ個の空間プロセッサ２９０は、データ・シンボル・ストリームに空間処理を実行し、アンテナのための送信シンボル・ストリームを提供する。各送信機ユニット（ＴＭＴＲ）２５４は、それぞれの送信シンボル・ストリームを受信及び処理（例えば、アナログ変換、増幅、フィルタ、及び周波数アップコンバート）し、アップリンク信号を生成する。送信機ユニット２５４は、アンテナ２５２からアクセス・ポイントへの送信のためのアップリンク信号を提供する。
【００２８】
Ｎup個のユーザ端末は、アップリンクにおける同時送信のためにスケジュールされうる。これらのユーザ端末の各々は、自身のデータ・シンボル・ストリームにおいて空間処理を実行し、自身の送信シンボル・ストリームのセットをアップリンクでアクセス・ポイントへ送信する。
【００２９】
アクセス・ポイント１１０において、アンテナ２２４ａ乃至２２４ａｐは、アップリンクで送信しているＮup個のユーザ端末全てからのアップリンク信号を受信する。各アンテナ２２４は、それぞれの受信機ユニット（ＲＣＶＲ）２２２へ受信した信号を提供する。各受信機ユニット２２２は、送信機ユニット２５４によって実行される処理と相互補完的な処理を実行し、受信シンボル・ストリームを提供する。ＲＸ空間プロセッサ２４０は、受信機ユニット２２２からの受信シンボル・ストリームに受信機空間処理を実行し、Ｎup個の復元されたアップリンク・データ・シンボル・ストリームを提供する。受信機空間処理は、チャネル相関マトリクス反転（ＣＣＭＩ：channel correlation matrix inversion）、最小平均二乗誤差（ＭＭＳＥ:minimum mean square error）、ソフト干渉除去（ＳＩＣ:soft interference cancellation）、又はその他何らかの技術に従って実行される。復元された各アップリンク・データ・シンボル・ストリームは、それぞれのユーザ端末によって送信されたデータ・シンボル・ストリームの推定である。ＲＸデータ・プロセッサ２４２は、復号データを取得するためにそのストリームのために用いられるレートに従って、復元された各アップリンク・データ・シンボル・ストリームを処理（例えば、復調、デインタリーブ、及び復号）する。各ユーザ端末のための復号データは、記憶のためにデータ・シンク２４４へ、及び／又は更なる処理のためにコントローラ２３０へ提供されうる。
【００３０】
ダウンリンクにおいて、アクセス・ポイント１１０で、ＴＸデータ・プロセッサ２１０は、ダウンリンク送信のためにスケジュールされたＮdn個のユーザ端末のためのデータ・ソース２０８からのトラヒック・データを受信し、コントローラ２３０からのデータ、及び場合によってはスケジューラ２３４からの他のデータを制御する。様々なタイプのデータが、異なるトランスポート・チャネルにおいて送信されうる。ＴＸデータ・プロセッサ２１０は、各ユーザ端末のために選択されたレートに基づいて、そのユーザ端末のためのトラヒック・データを処理（例えば、符号化、インタリーブ、及び変調）する。ＴＸデータ・プロセッサ２１０は、Ｎdn個のユーザ端末のためのＮdn個のダウンリンク・データ・シンボル・ストリームを提供する。ＴＸ空間プロセッサ２２０は、Ｎdn個のダウンリンク・データ・シンボル・ストリームに（例えば、本開示に記載されるようなプレコーディング又はビームフォーミングといった）空間処理を実行し、アンテナのための送信シンボル・ストリームを提供する。各送信機ユニット２２２は、それぞれの送信シンボル・ストリームを受信及び処理してダウンリンク信号を生成し、アンテナ２２４からユーザ端末への送信のためのダウンリンク信号を提供する。
【００３１】
各ユーザ端末１２０において、アンテナ２５２は、アクセス・ポイント１１０からのダウンリンク信号を受信する。各受信機ユニット２５４は、関連付けられたアンテナ２５２からの受信信号を処理し、受信シンボル・ストリームを提供する。ＲＸ空間プロセッサ２６０は、受信機ユニット２５４からの受信シンボル・ストリームに受信機空間処理を実行し、ユーザ端末のための復元されたダウンリンク・データ・シンボル・ストリームを提供する。受信機空間処理は、ＣＣＭＩ、ＭＭＳＥ、又はその他の技術に従って実行される。ＲＸデータ・プロセッサ２７０は、復元されたダウンリンク・データ・シンボル・ストリームを処理（例えば、復調、デインタリーブ、及び復号）し、ユーザ端末のための復号データを取得する。
【００３２】
各ユーザ端末１２０において、チャネル推定器２７８は、ダウンリンク・チャネル応答を推定し、チャネル利得推定、ＳＮＲ推定、雑音分散等を含みうるダウンリンク・チャネル推定を提供する。同様に、チャネル推定器２２８は、アップリンク・チャネル応答を推定し、アップリンク・チャネル推定を提供する。各ユーザ端末のためのコントローラ２８０は一般に、ユーザ端末のためのダウンリンク・チャネル応答マトリクスＨdn,mに基づいて、そのユーザ端末のための空間フィルタ・マトリクスを導出する。ここで、下付文字ｍは「ｍ番目の」ユーザ端末を示す。コントローラ２３０は、有効なアップリンク・チャネル応答マトリクスＨup,effに基づいて、アクセス・ポイントのための空間フィルタ・マトリクスを導出する。各ユーザ端末のためのコントローラ２８０は、フィードバック情報（例えば、ダウンリンク及び／又はアップリンクの固有ベクトル、固有値、ＳＮＲ推定等）をアクセス・ポイントへ送信することができる。コントローラ２３０及び２８０は、それぞれ、アクセス・ポイント１１０及びユーザ端末１２０における様々な処理ユニットの動作を制御することもできる。
【００３３】
図３は、無線通信システム１００内で用いられうる無線デバイス３０２において用いることができる様々な構成要素を示す。無線デバイス３０２は、本明細書に記載される様々な方法を実施するように構成されうるデバイスの例である。無線デバイス３０２は、例えばアクセス・ポイント（ＡＰ）又は局（ユーザ端末）のような任意のタイプの無線ノードであることができる。
【００３４】
無線デバイス３０２は、無線デバイス３０２の動作を制御するプロセッサ３０４を含むことができる。プロセッサ３０４は、中央処理ユニット（ＣＰＵ）とも称されうる。読取専用メモリ（ＲＯＭ）及びランダム・アクセス・メモリ（ＲＡＭ）を含むことができるメモリ３０６は、命令及びデータをプロセッサ３０４へ提供する。メモリ３０６の一部は、不揮発性ランダム・アクセス・メモリ（ＮＶＲＡＭ）を含むこともできる。プロセッサ３０４は一般に、メモリ３０６内に格納されたプログラム命令に基づいて、論理演算及び算術演算を実行する。メモリ３０６内の命令は、本明細書に記載される方法を実施するように実行可能であることができる。
【００３５】
無線デバイス３０２はまた、無線デバイス３０２と遠隔地との間のデータの送信及び受信を可能にするための送信機３１０及び受信機３１２を含むことができるハウジング３０８を含むことができる。送信機３１０及び受信機３１２は、トランシーバ３１４として結合されうる。単一の又は複数の送信アンテナ３１６は、ハウジング３０８に取り付けられ、トランシーバ３１４に電気的に結合されうる。無線デバイス３０２はまた、（図示されないが）複数の送信機、複数の受信機、及び複数のトランシーバを含むこともできる。
【００３６】
無線デバイス３０２はまた、トランシーバ３１４によって受信された信号のレベルを検出及び量を計るために用いられうる信号検出器３１８を含むこともできる。信号検出器３１８は、そのような信号を、合計エネルギ、シンボル毎のサブキャリア毎のエネルギ、電力スペクトル密度、及びその他の信号として検出することができる。無線デバイス３０２はまた、信号の処理において用いるためのデジタル信号プロセッサ（ＤＳＰ）３２０を含むこともできる。
【００３７】
無線デバイス３０２の様々な構成要素は、バス・システム３２２によって互いに結合されうる。バス・システム３２２は、データ・バスに加えて、電力バス、制御信号バス、及びステータス信号バスを含むことができる。
【００３８】
本明細書で用いられる場合、「レガシ」という用語は一般に、８０２．１１ｎ規格、又は８０２．１１規格の旧バージョンをサポートする無線ネットワーク・ノードを称する。
【００３９】
本明細書において、ある技術はＳＤＭＡを参照して説明されるが、当業者は、その技術が一般に、例えばＳＤＭＡ、ＯＦＤＭＡ、ＣＤＭＡ、及びそれらの組み合わせのような任意のタイプの多元接続スキームを用いるシステムにおいて適用されうることを認識するであろう。
【００４０】
図１乃至３に示す無線システムはＳＤＭＡシステムとして実現されることができ、この場合、アクセス・ポイントにおけるアンテナは、十分に異なる方向に配置され、様々なユーザ端末専用の同時送信された空間ストリーム間で干渉が生じないことを確実にする。本開示のある局面の場合、図１乃至３に示す無線システムは、マルチユーザ・システムと呼ばれ、この場合、送信信号のプレコーディング（ビームフォーミング）が適用され、異なるユーザ端末専用の空間ストリーム間の直交性を提供するが、アクセス・ポイントのアンテナは必ずしも十分に異なる方向に配置する必要はない。
【００４１】
空間分割多元接続（ＳＤＭＡ）スキームにおいて、複数の局（ＳＴＡ）からアクセス・ポイント（ＡＰ）へのアップリンク（ＵＬ）送信は同期化されなければならない。ＵＬ送信は、ＡＰでの到着時間、周波数、パケットの受信電力レングス、及び空間ストリームの割当てに関して同期化されなければならない。
【００４２】
図１乃至３に示す無線システムは、ＳＤＭＡシステムを参照することができ、その場合、アクセス・ポイントにおけるアンテナは、十分に異なる方向に配置され、異なるユーザ端末専用の同時送信された空間ストリーム間での干渉が生じないことを確実にする。本開示のある局面の場合、図１乃至３に示す無線システムは、マルチユーザ・システムを参照することができ、この場合、アクセス・ポイントのアンテナは必ずしも十分に様々な方向に配置される必要はないが、送信信号のプレコーディング（ビームフォーミング）が適用され、様々なユーザ端末専用の空間ストリーム間の直交性を提供する。
【００４３】
アクセス・ポイント（ＡＰ）は、境界（demarcation）インジケーション（ＤＩ）フレームを送信することによってアップリンクＳＤＭＡ送信を開始することができる。ＤＩフレームは、来るアップリンクＳＤＭＡ  ＴＸＯＰの間、局（ＳＴＡ）が送信することができるか及びどのように送信することができるかを指定する。アップリンクＳＤＭＡ  ＴＸＯＰは、ＤＩフレームの後の定められた時間間隔において開始する。ＳＤＭＡ  ＴＸＯＰ内のリソースは、割当て（allocation）インジケーション（ＡＩ）フレームを送信することによって要求することができる。ＡＰは、割当て応答（ＡＲ）フレームを送信することによってＡＩをアクノレッジすることができる。
【００４４】
高スループット（ＨＴ）即時（immediate）ブロックＡＣＫ（ＢＡ）は一般に、ブロックＡＣＫ要求（ＢＡＲ）又は暗黙のＢＡＲを含む受信された物理層プロトコル・データ・ユニット（ＰＰＤＵ）の末尾より後に、ＢＡフレームがショート・インタフェース・スペース（ＳＩＦＳ）で送信されるブロックＡＣＫの形式を称する。ＨＴ即時ＢＡは、８０２．１１ｎにおいて更に定義される。
【００４５】
ＨＴ遅延（delayed）ＢＡは一般に、ＢＡＲを含むＰＰＤＵの受信後、次の送信機会（ＴＸＯＰ）においてＢＡフレームが送信されるブロックＡＣＫの形式を称する。ＨＴ遅延ＢＡは、８０２．１１ｎにおいて更に定義される。
【００４６】
パワー・セーブ・マルチ・ポール（ＰＳＭＰ）は一般に、８０２．１１ｎで説明されるチャネル・アクセス方法を称する。ＰＳＭＰは、アドレス指定された各局について、ダウンリンク送信時間（ＤＴＴ）及びアップリンク送信時間（ＵＴＴ）をそれぞれ指定する、ＡＰによって送信されるＰＳＭＰフレームにより開始する。ＰＳＭＰを用いて送信されたデータ・フレームにおけるＡＣＫポリシは、ＰＳＭＰ  Ａｃｋであり、ＨＴ即時ＢＡの形式であるが、ＢＡがＰＰＤＵ受信の末尾より後のＳＩＦＳではなく、スケジュールされたアップリンク又はダウンリンクの時間スロットの間に送信される追加要求を有する。ＰＳＭＰは、８０２．１１ｎにおいて更に定義される。
【００４７】
図４は、データ・フレームにおけるＡＣＫポリシの例を示す。図示したように、可能なポリシは、通常のＡｃｋ又は暗黙のＢＡ要求、Ｎｏ  Ａｃｋ、明確なＡｃｋ無し（No explicit Ack）あるいはＰＳＭＰ  Ａｃｋ、又はブロックＡｃｋを含む。図５は、８０２．１１ｎに基づく、ＢＡＲフレームにおけるＡＣＫポリシの例を示す。図示したように、受信者は、ＡＣＫ（通常のＡｃｋ又は暗黙のＢＡＲ）を返信するか、アクションしない（Ｎｏ  Ａｃｋ）かを要求されうる。
【００４８】
（ＳＤＭＡによるＵＤＰビデオ送信）
本開示のある態様は、ＳＤＭＡ送信機会（ＳＤＭＡ  ＴＸＯＰ）として並行送信をスケジュールするための技術を提供する。この用語は、同様の技術を同じようにカバーしうることに留意されうる。そのような並行送信は、例えばビデオ・ストリームを含む様々なアプリケーションにおいて用いられうる。
【００４９】
例えば、家庭環境において、オーディオ・ビデオ（ＡＶ）トラヒックは、図６に示すように、いくつかのソースと宛先との間で交換されうる。図６に示すように、インターネットに有線接続されたように例示されたアクセス・ポイント（ＡＰ）６０２は、例えば第１の部屋６１０内のブルーレイ・プレーヤ６１２、モニタ（スクリーン）６１６、及びデジタル・ビデオ・レコーダ（ＤＶＲ）６１８や、第２の部屋６２０内に位置するスクリーン６２６及びオーディオ・デバイス６２８、及び第３の部屋６３０内の統合されたスクリーン及びスピーカを有するデバイス６３６のような様々なデバイスへ媒体（media）をストリームすることができる。ＡＰは、例えば、ケーブル・モデム、セット・トップ・ボックス、ルータ等を備えることができる。
【００５０】
図示したように、ＡＰからのストリームを受信しているデバイスは、他の様々なデバイスへストリームすることもできる。例えばプレーヤ６１２は、スクリーン６１６及びスピーカ６１４へストリームすることができ、ＤＶＲは、スクリーン６２６及びオーディオ・デバイス６２８へストリームすることができる。従って、あるデバイスは、ストリームの発信源であり受信機であることができる。  
ユーザ・データグラム・プロトコル（ＵＤＰ）がビデオ・ストリームのダウンリンク送信のために用いられる場合、アップリンク・トラヒックのみが媒体アクセス制御（ＭＡＣ）レベル・アクノレッジメント・メッセージであることができる。アップリンク・データ・フローが比較的少ない又は全くないので、ダウンリンク方向にはＭＡＣレベル・アクノレッジメントがないことがある。
【００５１】
８０２．１１ＭＰＤＵとしてカプセル化されたＵＤＰパケットは、ＵＤＰフレームと称されうる。同様に、８０２．１１ＭＰＤＵとしてカプセル化された送信制御プロトコル（ＴＣＰ）パケットは、ＴＣＰフレームと称されうる。図７は、並行データ送信（例えば、並行ＵＤＰ送信）のためにＳＤＭＡシステム内の局及びＡＰによって実行されうる動作の例７００を示す。動作７０２乃至７０６は、例えば、図６のＡＰ６０２のようなＡＰによって実行されうる。動作７０８乃至７１２は、例えば、図６のＡＰ６０２と通信しているデバイスと同様の局によって実行されうる。
【００５２】
７０２において、１つ又は複数のデータ・フレーム（例えば、ダウンリンク・データとして送信されたＵＤＰフレーム）を備える送信が、第１の送信機会（例えば、ダウンリンク送信機会）の間に１つ又は複数の局へ送信されうる。７０８において、データ・フレームのうちの１つが局において受信されうる。データ・フレームによって搬送されたデータは、ビデオ・データであることができる。ある態様によると、データ・フレームは、１つ又は複数の集約（aggregated）ＭＡＣプロトコル・データ・ユニット（Ａ−ＭＰＤＵ）で送信されうる。データ・フレームはまた、アクノレッジ（ＡＣＫ）ポリシを指定することもできる。ＡＣＫポリシは、受信データ・フレームが局によってどのようにアクノレッジされるかに関する情報を含むことができる。
【００５３】
７０４において、境界インジケーション（ＤＩ）フレームが送信されうる。７１０において、ＤＩフレームが局によって受信されうる。ＤＩフレームは、アップリンクＳＤＭＡ
ＴＸＯＰを開始するために用いることができる。ＤＩフレームは、来るアップリンクＳＤＭＡ  ＴＸＯＰの間に局（ＳＴＡ）が送信することができるか及びどのように送信することができるかを指定することができる。ＤＩフレーム及びデータ・フレームは、以下で説明するように様々なアプローチを用いて送信されうる。例えば、ある態様によると、ＤＩフレーム及びデータ・フレームは、同じダウンリンクＡ−ＭＰＤＵによりまとめて送信されうる。
【００５４】
７１２において、第２の送信機会（例えば、アップリンク送信機会）に、受信されたＤＩフレーム内の情報に従って、以前受信されたデータ・フレームのためのアクノレッジメントが局によって送信されうる。７０６において、アクノレッジメントがＡＰによって受信されうる。
【００５５】
図８乃至１４は、ビデオ・ストリームの並行送信の例を示す。これらの例は、図７の動作に従う並行送信を示す。これらの例に含まれる構成要素は、図６に示すシステムの構成要素に対応することができる。
【００５６】
図８によると、バックオフ期間の後、ＡＰはダウンリンクＳＤＭＡ  ＴＸＯＰを開始することができる。ダウンリンクＳＤＭＡ  ＴＸＯＰの間、ＡＰは、局１乃至４へ並行してＡ−ＭＰＤＵ８０２を送信することができる。図示したように、ダウンリンクＡ−ＭＰＤＵは、１つ又は複数のダウンリンクＵＤＰフレーム及びＤＩを含むことができる。１つ又は複数のＵＤＰフレームは、ビデオ・データを含むことができる。
【００５７】
ある態様によると、ＤＩは、来るアップリンクＳＤＭＡ ＴＸＯＰのリソース割当及びタイミングを示すことができる。図示したように、１つ又は複数のＵＤＰフレームは、暗黙のブロックＡＣＫ要求（ＢＡＲ）ポリシを指定することができる。高スループット（ＨＴ）即時ＢＡは、ダウンリンクＵＤＰストリームをアクノレッジするために用いられうる。アップリンクＳＤＭＡ ＴＸＯＰの間、局は、ダウンリンクＵＤＰフレームにおいて暗黙のＢＡＲによって効率的に要求されると、ＵＤＰフレームの受信をアクノレッジするためにＢＡフレーム８０４をＡＰへ送信する。
【００５８】
この例が示すように、アップリンク方向におけるリソース割当は、ダウンリンク方向におけるリソース割当と異なりうる。同様のフレーム交換シーケンスが、バックオフ、ショート・フレーム間スペース（ＳＩＦＳ）又はポイント制御機能フレーム間スペース（ＰＩＦＳ）間隔の後、同じ又は異なる局のセットに後続することができる。ＤＩフレームはマルチキャスト又はブロードキャストではなくユニキャストとして送信されるので、アップリンクＳＤＭＡ ＴＸＯＰにおいて存在する局は、ダウンリンクＳＤＭＡ ＴＸＯＰにおいてアドレス指定された局と異なる。
【００５９】
図９に示すフレーム交換では、バックオフ後、ＡＰは、来るＳＤＭＡ ＴＸＯＰのリソース割当及びタイミングを示すＤＩフレーム９０６をブロードキャストすることができる。ブロードキャストＤＩフレーム９０６は、図８で送信された個々のＤＩの代わりに送信されうる。アップリンクＳＤＭＡ ＴＸＯＰにおけるリソースは、局１乃至４に割り当てられうる。アップリンクＳＤＭＡ ＴＸＯＰの間、局１乃至４は、ＢＡフレーム９０４をＡＰへ送信することができる。ＢＡは、以前のＢＡＲによって要求されると、ＡＰから以前受信したＵＤＰフレームをアクノレッジすることができる。
【００６０】
アップリンクＳＤＭＡ ＴＸＯＰの後、ＡＰは、ダウンリンクＳＤＭＡ ＴＸＯＰを開始することができる。ダウンリンクＳＤＭＡ ＴＸＯＰの間、ＡＰは、局１乃至４へ並行してＡ−ＭＰＤＵを送信することができる。ダウンリンクＡ−ＭＰＤＵは、１つ又は複数のＵＤＰフレーム及びＢＡＲフレームを含むことができる。１つ又は複数のＵＤＰフレームは、ビデオ・データを含むことができる。ＢＡＲフレームは、受信されたＵＤＰフレームのアクノレッジメントを要求することができる。ＨＴ遅延ＢＡは、（例えば、後続するブロードキャストＤＩフレームの後に）ダウンリンクＵＤＰストリームのために用いられうる。図示したように、１つ又は複数のＵＤＰフレームは、受信局によってＳＩＦＳ応答を生じさせることを回避するために、ブロックＡＣＫポリシを示すことができる。ＢＡＲフレームは、同じ理由により、このフレームのためのＮｏ  ＡＣＫポリシを示すことができる。
【００６１】
図１０における交換によると、ＡＰは、ＡＰが局１乃至４へＡ−ＭＰＤＵ１０１０を送信するダウンリンクＳＤＭＡ ＴＸＯＰを開始することができる。Ａ−ＭＰＤＵ１０１０は、ＤＩ及びＢＡＲを含むことができる。ＢＡＲは、来るダウンリンクＳＤＭＡ ＴＸＯＰの後、ＢＡがＳＩＦＳ応答として局によって送信されることを要求することができる。ＢＡＲは、通常のＡＣＫポリシを指定することができる。アップリンクＳＤＭＡ ＴＸＯＰの間、局は、要求されたＢＡ１００４をＡＰへ送信することができる。ＢＡ１００４は、ＡＰから受信した以前のデータをアクノレッジすることができる。アップリンクＳＤＭＡ ＴＸＯＰの後、ＡＰは、第２のＳＤＭＡ ＴＸＯＰを開始することができる。第２のダウンリンクＳＤＭＡ ＴＸＯＰの間、ＡＰは、ブロックＡＣＫポリシを用いて局１乃至４へダウンリンクＵＤＰフレームでＡ−ＭＰＤＵ１０１２を送信することができる。
【００６２】
第１のダウンリンクＳＤＭＡ ＴＸＯＰにおけるＤＩ及びＢＡＲはＡ−ＭＰＤＵとして統合されるが、図１０に示すように、ある態様によると、この目的のために新たなＤＩ＋ＢＡＲフレームも指定されうる。
【００６３】
図１１に示す交換の例において、Ａ−ＭＰＤＵ１１０２により送信されたＵＤＰフレームは、暗黙のＢＡＲポリシを示すことができる。ダウンリンク方向においてＵＤＰフレームを送信するために用いられるブロックＡＣＫのタイプは、ＢＡ応答がＤＩ後のＳＩＦＳ期間に送信されるという変更を伴う、変更されたＨＴ即時ＡＣＫであることができる。従って、ＢＡ応答１１０４は、ＤＩ１１０６によって示されるアップリンクＳＤＭＡ ＴＸＯＰの間、ＤＩ１１０６の後に送信されうる。
【００６４】
ある態様によると、即時ＢＡの代わりに遅延ＢＡを用いることができる。この場合、ＵＤＰフレームにおけるＡＣＫポリシは、Ｎｏ  ＡＣＫがダウンリンクＡ−ＭＰＤＵに統合されてることを示すＢＡＲおよびブロックＡＣＫに設定されうる。
【００６５】
図１２は、Ａ−ＭＰＤＵ１２０８内のＢＡＲがＮｏ  ＡＣＫポリシを指定し、Ａ−ＭＰＤＵ１２０８内のデータがブロックＡＣＫポリシを指定することができるフレーム交換シーケンスを示す。これは図１１の交換の例と同様であるが、ＭＰＤＵ内にＢＡＲを含み、ＨＴ即時ＢＡの代わりにＨＴ遅延ＢＡを用いる。ＤＩフレーム１２０６の受信後、局からのＢＡ応答１２０４が送信されうる。
【００６６】
図１３は、アップリンク送信が、ＡＰによって送信されたアップリンク送信時間（ＵＴＴ）に基づくことができるフレーム交換の例を示す。ＵＴＴは、Ａ−ＭＰＤＵ１３１４により送信されうる。ＵＴＴは、各局のための連続するアップリンクＴＸＯＰの持続期間及び開始時間を指定することができる。
【００６７】
１つ又は複数のＵＤＰフレーム１３１４は、パワー・セーブ・マルチ・ポール（ＰＳＭＰ）ＡＣＫポリシを指定することができる。ＨＴ即時ＢＡは、ダウンリンクＵＤＰストリームのために用いられうる。ＵＴＴは、ＳＩＦＳ応答が生じないように、アクションＮｏ ＡＣＫフレームであることができる。スケジュールされたアップリンクＴＸＯＰは、要望に応じて、要求されたアップリンクＢＡフレーム１３１６又はマルチ・トラヒック識別子ＢＡ（ＭＴＢＡ）を含むことができる。
【００６８】
ある態様によると、アップリンク応答は連続してスケジュールされるので、アップリンク方向においてＳＤＭＡは用いられないことがある。このアプローチは、例えば、局がＳＤＭＡ送信をすることができない（非ＳＤＭＡ局である）場合、用いられうる。
【００６９】
第１のアップリンク送信は、ダウンリンク送信の後のどこかの期間で開始することができる。実際には、この間隔は、ＳＩＦＳ（例えば、１６μｓ）であることができる。アップリンク送信間の間隔は、ａＩＵＳｔｉｍｅ又はＳＩＦＳに等しくなりうる。低減インタフェース・スペース（ＲＩＦＳ）がサポートされる場合、この間隔は、より短く（例えば、８μｓに）なりうる。
【００７０】
図１４に示されたフレーム交換によると、ＡＰは、ダウンリンクＳＤＭＡ ＴＸＯＰ及び一連の連続するアップリンクＴＸＯＰを指定するＰＳＭＰフレーム１４１８を送信することができる。ＡＰはその後、Ａ−ＭＰＤＵ１４１２がＳＴＡ１乃至４へ並行して送信されうる、スケジュールされたダウンリンクＳＤＭＡ  ＴＸＯＰを開始することができる。Ａ−ＭＰＤＵ１４１２を構成している１つ又は複数のＵＤＰフレームは、ＰＳＭＰ  ＡＣＫポリシを指定することができる。ＨＴ即時ＢＡは、ダウンリンクＵＤＰストリームのために用いられうる。連続するアップリンクＴＸＯＰは、局１乃至４からのアップリンクＢＡフレーム１４１６を含むことができる。ある態様によると、ＢＡフレームの代わりにＭＴＢＡフレームが送信されうる。
【００７１】
ＰＳＭＰ１４１８フレームは、来るダウンリンクＳＤＭＡ  ＴＸＯＰ及びアップリンクＴＸＯＰを保護するために、ネットワーク割当ベクトル（ＮＡＶ）を設定することができる。ＰＳＭＰフレーム１４１８は、ダウンリンクＳＤＭＡ ＴＸＯＰの間にどの局がデータを受信するかを示すことができる。ＰＳＭＰフレームに含まれない局は、ＰＳＭＰシーケンスの持続期間中、あるいはスケジュールされた後続ＰＳＭＰフレームの発生まで、スリープ・モードに入ることができる。
【００７２】
ある態様によると、ＰＳＭＰフレーム１４１８は、既存のＰＳＭＰフレームの改良バージョンであることができ、この改良により、ダウンリンク送信時間がオーバラップすることが可能となる。ＲＩＦＳは、ＰＳＭＰフレーム１４１８と、ダウンリンクＳＤＭＡ ＴＸＯＰの開始との間で用いられうる。
【００７３】
上述した方法の様々な動作は、様々なハードウェア及び／又はソフトウェア構成要素及び／又は図面に示した方法プラス機能ブロックに対応するモジュールによって実行することができる。一般に、対応する一方の手段プラス機能図を有する図に方法が示される場合、動作ブロックは、同様の番号を付された手段プラス機能ブロックに対応する。例えば、図７に示した動作７０２乃至７１２は、図７Ａに示したブロック７０２Ａ乃至７１２Ａに対応する。
【００７４】
情報及び信号は、様々な異なる技術及び技法のいずれかを用いて表されうる。例えば、上記を通して参照されうるデータ、命令、コマンド、情報、信号等は、電圧、電流、電磁波、磁場あるいは磁気粒子、光場あるいは光学粒子、又はそれらの任意の組み合わせによって表すことができる。
【００７５】
本開示に関連して説明された例示となる様々な論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ信号（ＦＰＧＡ）あるいは他のプログラマブル・ロジック・デバイス、ディスクリート・ゲートあるいはトランジスタ・ロジック、ディスクリート・ハードウェア部品、又は本明細書に記載された機能を実行するように設計されたそれらの任意の組み合わせを用いて実現あるいは実行されうる。汎用プロセッサとしてマイクロプロセッサを用いることができるが、代わりに、任意の市販のプロセッサ、コントローラ、マイクロコントローラ、又はステート・マシンを用いることもできる。プロセッサはまた、例えばＤＳＰとマイクロプロセッサとの組み合わせ、複数のマイクロプロセッサ、ＤＳＰコアに接続された１つ又は複数のマイクロプロセッサ、又は他の任意のそのような構成のような計算デバイスの組み合わせとして実現することもできる。
【００７６】
本開示に関連して説明されたアルゴリズム又は方法のステップは、ハードウェアによって直接、プロセッサによって実行されるソフトウェアによって、又はそれら２つの組み合わせによって具現化されうる。ソフトウェア・モジュールは、当該技術において周知である任意の形式の記憶媒体に収納されうる。用いられうる記憶媒体のいくつかの例は、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ等を含む。ソフトウェア・モジュールは、１つの命令あるいは多数の命令を備えることができ、いくつかの異なるコード・セグメント、異なるプログラム、及び複数の記憶媒体に散在することができる。記憶媒体は、プロセッサがそこから情報を読み取り、またそこへ情報を書き込むことができるように、プロセッサに結合されうる。あるいは記憶媒体は、プロセッサに統合されうる。
【００７７】
本明細書に開示された方法は、上述された方法を達成するための１つ又は複数のステップ又はアクションを備える。方法のステップ及び／又はアクションは、特許請求の範囲から逸脱することなく互いに置換することができる。すなわち、ステップ又はアクションの特定の順序が指定されない限り、特定のステップ及び／又はアクションの順序及び／又は使用は、特許請求の範囲から逸脱することなく変更されうる。
【００７８】
上述された機能は、ハードウェア、ソフトウェア、ファームウェア、又はそれらの任意の組み合わせによって実現されうる。ソフトウェアによる実現の場合、機能は、コンピュータ読取可能媒体上の１つ又は複数の命令として格納されうる。記憶媒体は、コンピュータによってアクセスすることができる任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいは他の光学ディスク記憶媒体、磁気ディスク記憶媒体あるいは他の磁気記憶デバイス、又は、コンピュータによってアクセスすることができ、所望のプログラム・コードを命令又はデータ構成の形式で搬送あるいは格納するために用いることができる他の任意の媒体を備えることができる。ディスク（disk）及びディスク（disc）は、本明細書で用いられる場合、コンパクト・ディスク（disc）（CD）、レーザ・ディスク（disc）、光学ディスク（disc）、デジタル・バーサタイル・ディスク（disc）（DVD）、フロッピー（登録商標）ディスク（disk）、及びブルーレイ（登録商標）ディスク（disc）を含む。ディスク（disk）は通常、データを磁気的に再生し、ディスク（disc）は、レーザを用いてデータを光学的に再生する。
【００７９】
ソフトウェア又は命令はまた、送信媒体を介して送信されうる。例えば、ソフトウェアがウェブサイト、サーバ、又は他の遠隔ソースから、同軸ケーブル、光ファイバ・ケーブル、ツイスト・ペア、デジタル加入者線（DSL）、又は例えば赤外線、ラジオ、及びマイクロ波のような無線技術を用いて送信される場合、同軸ケーブル、光ファイバ・ケーブル、ツイスト・ペア、DSL、又は例えば赤外線、ラジオ、及びマイクロ波のような無線技術は、送信媒体の定義に含まれる。
【００８０】
更に、例えば図面に示されたような、本明細書に記載された方法及び技術を実行するためのモジュール及び／又は他の適切な手段は、ダウンロードされるか、あるいは適宜モバイル・デバイス及び／又は基地局によって取得されることができる。例えばそのようなデバイスは、本明細書に記載された方法を実行するための手段の転送を可能にするために、サーバに接続することができる。あるいは本明細書に記載された様々な方法は、モバイル・デバイス及び／又は基地局が、記憶手段をデバイスに接続又は提供すると様々な方法を取得することができるように、記憶手段（例えば、ランダム・アクセス・メモリ（RAM）、読取専用メモリ（ROM）、例えばコンパクト・ディスク（CD）又はフロッピー・ディスクのような物理記憶媒体等）を介して提供されることができる。更に、本明細書に記載された方法及び技術をデバイスに提供するための他の任意の適切な技術を用いることができる。
【００８１】
特許請求の範囲は、上述された構成及び構成要素そのものに限定されないことが理解されるべきである。上述された方法及び装置の構成、動作、及び細部において、様々な修正、変更、及び変形例が、特許請求の範囲から逸脱することなく可能となりうる。
【００８２】
上記は本開示の態様に向けられるが、本開示の他の及び更なる態様が、本開示の基本的範囲から逸脱することなく考案されうる。本開示の範囲は、以下の特許請求の範囲によって決定される。
【図１】
2014147083.tif 000003
【図２】
2014147083.tif 000004
【図３】
2014147083.tif 000005
【図４】
2014147083.tif 000006
【図５】
2014147083.tif 000007
【図６】
2014147083.tif 000008
【図７】
2014147083.tif 000009
【図７Ａ】
2014147083.tif 000010
【図８】
2014147083.tif 000011
【図９】
2014147083.tif 000012
【図１０】
2014147083.tif 000013
【図１１】
2014147083.tif 000014
【図１２】
2014147083.tif 000015
【図１３】
2014147083.tif 000016
【図１４】
2014147083.tif 000017
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
複数の無線装置へデータを送信するための方法であって、
第１の送信機会の間に、前記複数の無線装置へ、各無線装置のためのデータ・フレームを含む送信を送信することと、
１つ又は複数の第２の送信機会の間に、前記複数の無線装置から前記データ・フレームの受信のアクノレッジメントを受信することと、
を備え、前記送信は、各無線装置のためのブロック・アクノレッジメント要求を含む、方法。
【請求項２】
複数の無線装置へデータを送信するための方法であって、
第１の送信機会の間に、前記複数の無線装置へ、各無線装置のためのデータ・フレームを含む送信を送信することと、
１つ又は複数の第２の送信機会の間に、前記複数の無線装置から前記データ・フレームの受信のアクノレッジメントを受信することと、
を備え、前記データ・フレームの受信のアクノレッジメントを受信することは、空間分割多元接続（SDMA）スキームにより複数のアクノレッジメントを同時に受信することを備える、方法。
【請求項３】
前記送信は、前記第２の送信機会の開始を示すフレームを含む、請求項１または２に記載の方法。
【請求項４】
前記送信は、空間分割多元接続（SDMA）スキームにより送信される、請求項１乃至３いずれか１項に記載の方法。
【請求項５】
前記データ・フレームの受信のアクノレッジメントを受信することは、空間分割多元接続（SDMA）スキームにより複数のアクノレッジメントを同時に受信することを備える、請求項１乃至４いずれか１項に記載の方法。
【請求項６】
前記データ・フレームは、ユーザ・データグラム・プロトコル（UDP）フレームを含む、請求項１乃至５いずれか１項に記載の方法。
【請求項７】
前記データ・フレームは、送信制御プロトコル（TCP）フレームを含む、請求項１乃至５いずれか１項に記載の方法。
【請求項８】
前記データ・フレームは、ストリーミング・ビデオ・データを含む、請求項１乃至６いずれか１項に記載の方法。
【請求項９】
無線通信の方法であって、
複数のデータ・フレームが複数の無線装置へ送信された第１の送信機会の間に、データ・フレームを含む送信を受信することと、
第２の送信機会の間に、前記データ・フレームの受信のアクノレッジメントを送信することと、
を備え、前記送信は、各無線装置のためのブロック・アクノレッジメント要求を含む、方法。
【請求項１０】
無線通信の方法であって、
複数のデータ・フレームが複数の無線装置へ送信された第１の送信機会の間に、データ・フレームを含む送信を受信することと、
第２の送信機会の間に、前記データ・フレームの受信のアクノレッジメントを送信することと、
を備え、前記第２の送信機会の間に、前記受信したデータ・フレームのアクノレッジメントを送信することは、他の無線装置によって送信されたアクノレッジメントと同時に前記アクノレッジメントを送信することを備える、方法。
【請求項１１】
前記送信は、前記第２の送信機会の開始を示すフレームを含む、請求項９または１０に記載の方法。
【請求項１２】
前記データ・フレームは、空間分割多元接続（SDMA）スキームにより前記複数の無線装置へ同時に送信された、請求項９乃至１１のいずれか１項に記載の方法。
【請求項１３】
前記第２の送信機会の間に、前記受信したデータ・フレームのアクノレッジメントを送信することは、他の無線装置によって送信されたアクノレッジメントと同時に前記アクノレッジメントを送信することを備える、請求項９乃至１２いずれか１項に記載の方法。
【請求項１４】
前記データ・フレームは、ユーザ・データグラム・プロトコル（UDP）フレームを含む、請求項９乃至１３いずれか１項に記載の方法。
【請求項１５】
前記データ・フレームは、送信制御プロトコル（TCP）フレームを含む、請求項９乃至１３いずれか１項に記載の方法。
【請求項１６】
前記データ・フレームは、ストリーミング・ビデオ・データを含む、請求項９乃至１４いずれか１項に記載の方法。
【請求項１７】
複数の無線装置へデータを送信するための装置であって、
第１の送信機会の間に、前記複数の無線装置へ、データ・フレームを含む送信を送信する送信機と、
１つ又は複数の第２の送信機会の間に、前記複数の無線装置から前記データ・フレームの受信のアクノレッジメントを受信する受信機と、
を備え、前記送信は、各無線装置のためのブロック・アクノレッジメント要求を含む、装置。
【請求項１８】
複数の無線装置へデータを送信するための装置であって、
第１の送信機会の間に、前記複数の無線装置へ、データ・フレームを含む送信を送信する送信機と、
１つ又は複数の第２の送信機会の間に、前記複数の無線装置から前記データ・フレームの受信のアクノレッジメントを受信する受信機と、
を備え、前記受信機は、空間分割多元接続（SDMA）スキームにより複数のアクノレッジメントを同時に受信する、装置。
【請求項１９】
前記送信は、前記第２の送信機会の開始を示すフレームを含む、請求項１７または１８に記載の装置。
【請求項２０】
前記送信は、空間分割多元接続（SDMA）スキームにより送信される、請求項１７乃至１９いずれか１項に記載の装置。
【請求項２１】
前記受信機は、空間分割多元接続（SDMA）スキームにより複数のアクノレッジメントを同時に受信する、請求項１７乃至２０いずれか１項に記載の装置。
【請求項２２】
前記データ・フレームは、ユーザ・データグラム・プロトコル（UDP）フレームを含む、請求項１７乃至２１いずれか１項に記載の装置。
【請求項２３】
前記データ・フレームは、送信制御プロトコル（TCP）フレームを含む、請求項１７乃至２１いずれか１項に記載の装置。
【請求項２４】
前記データ・フレームは、ストリーミング・ビデオ・データを含む、請求項１７乃至２２いずれか１項に記載の装置。
【請求項２５】
無線通信のための装置であって、
複数のデータ・フレームが複数の無線装置へ送信された第１の送信機会の間に、データ・フレームを含む送信を受信する受信機と、
第２の送信機会の間に、前記データ・フレームの受信のアクノレッジメントを送信する送信機と、
を備え、前記送信は、各無線装置のためのブロック・アクノレッジメント要求を備える装置。
【請求項２６】
無線通信のための装置であって、
複数のデータ・フレームが複数の無線装置へ送信された第１の送信機会の間に、データ・フレームを含む送信を受信する受信機と、
第２の送信機会の間に、前記データ・フレームの受信のアクノレッジメントを送信する送信機と、
を備え、前記送信機は、他の無線装置によって送信されるアクノレッジメントと同時に前記アクノレッジメントを送信する、装置。
【請求項２７】
前記送信は、前記第２の送信機会の開始を示すフレームを含む、請求項２５または２６に記載の装置。
【請求項２８】
前記データ・フレームは、空間分割多元接続（SDMA）スキームにより前記複数の無線装置へ同時に送信された、請求項２５乃至２７いずれか１項に記載の装置。
【請求項２９】
前記送信機は、他の無線装置によって送信されるアクノレッジメントと同時に前記アクノレッジメントを送信する、請求項２５乃至２８いずれか１項に記載の装置。
【請求項３０】
前記データ・フレームは、ユーザ・データグラム・プロトコル（UDP）フレームを含む、請求項２５乃至２９いずれか１項に記載の装置。
【請求項３１】
前記データ・フレームは、送信制御プロトコル（TCP）フレームを含む、請求項２５乃至２９いずれか１項に記載の装置。
【請求項３２】
前記データ・フレームは、ストリーミング・ビデオ・データを含む、請求項２５乃至３０いずれか１項に記載の装置。
【請求項３３】
複数の無線装置へデータを送信するための装置であって、
第１の送信機会の間に、前記複数の無線装置へ、データ・フレームを含む送信を送信する手段と、
１つ又は複数の第２の送信機会の間に、前記複数の無線装置から前記データ・フレームの受信のアクノレッジメントを受信する手段と、
を備え、前記送信は、各無線装置のためのブロック・アクノレッジメント要求を含む装置。
【請求項３４】
複数の無線装置へデータを送信するための装置であって、
第１の送信機会の間に、前記複数の無線装置へ、データ・フレームを含む送信を送信する手段と、
１つ又は複数の第２の送信機会の間に、前記複数の無線装置から前記データ・フレームの受信のアクノレッジメントを受信する手段と、
を備え、前記受信する手段は、空間分割多元接続（SDMA）スキームにより複数のアクノレッジメントを同時に受信する、装置。
【請求項３５】
前記送信は、前記第２の送信機会の開始を示すフレームを含む、請求項３３または３４に記載の装置。
【請求項３６】
前記送信は、空間分割多元接続（SDMA）スキームにより送信される、請求項３３乃至３５いずれか１項に記載の装置。
【請求項３７】
前記受信する手段は、空間分割多元接続（SDMA）スキームにより複数のアクノレッジメントを同時に受信する、請求項３３乃至３６いずれか１項に記載の装置。
【請求項３８】
前記データ・フレームは、ユーザ・データグラム・プロトコル（UDP）フレームを含む、請求項３３乃至３７いずれか１項に記載の装置。
【請求項３９】
前記データ・フレームは、送信制御プロトコル（TCP）フレームを含む、請求項３３乃至３７いずれか１項に記載の装置。
【請求項４０】
前記データ・フレームは、ストリーミング・ビデオ・データを含む、請求項３３乃至３８いずれか１項に記載の装置。
【請求項４１】
無線通信のための装置であって、
複数のデータ・フレームが複数の無線装置へ送信された第１の送信機会の間に、データ・フレームを含む送信を受信する手段と、
第２の送信機会の間に、前記受信したデータ・フレームのアクノレッジメントを送信する手段と、
を備え、前記送信は、各無線装置のためのブロック・アクノレッジメント要求を含む、装置。
【請求項４２】
無線通信のための装置であって、
複数のデータ・フレームが複数の無線装置へ送信された第１の送信機会の間に、データ・フレームを含む送信を受信する手段と、
第２の送信機会の間に、前記受信したデータ・フレームのアクノレッジメントを送信する手段と、
を備え、前記受信したデータ・フレームのアクノレッジメントを送信する手段は、他の無線装置によって送信されたアクノレッジメントと同時に前記アクノレッジメントを送信する、装置。
【請求項４３】
前記送信は、前記第２の送信機会の開始を示すフレームを含む、請求項４１または４２に記載の装置。
【請求項４４】
前記データ・フレームは、空間分割多元接続（SDMA）スキームにより前記複数の無線装置へ同時に送信された、請求項４１乃至４３いずれか１項に記載の装置。
【請求項４５】
前記受信したデータ・フレームのアクノレッジメントを送信する手段は、他の無線装置によって送信されたアクノレッジメントと同時に前記アクノレッジメントを送信する、請求項４１乃至４４いずれか１項に記載の装置。
【請求項４６】
前記データ・フレームは、ユーザ・データグラム・プロトコル（UDP）フレームを含む、請求項４１乃至４５いずれか１項に記載の装置。
【請求項４７】
前記データ・フレームは、送信制御プロトコル（TCP）フレームを含む、請求項４１乃至４５いずれか１項に記載の装置。
【請求項４８】
前記データ・フレームは、ストリーニング・ビデオ・データを含む、請求項４１乃至４６いずれか１項に記載の装置。
【請求項４９】
通信のためのコンピュータ・プログラムであって、
第１の送信機会の間に、複数の無線装置へ、データ・フレームを含む送信を送信することと、
１つ又は複数の第２の送信機会の間に、前記複数の無線装置から前記データ・フレームのアクノレッジメントを受信することと、
がプロセッサによって実行可能な命令を備え、前記送信は、各無線装置のためのブロック・アクノレッジメント要求を含む、コンピュータ・プログラム。
【請求項５０】
通信のためのコンピュータ・プログラムであって、
第１の送信機会の間に、複数の無線装置へ、データ・フレームを含む送信を送信することと、
１つ又は複数の第２の送信機会の間に、前記複数の無線装置から前記データ・フレームのアクノレッジメントを受信することと、
がプロセッサによって実行可能な命令を備え、前記データ・フレームの受信のアクノレッジメントを受信することは、空間分割多元接続（SDMA）スキームにより複数のアクノレッジメントを同時に受信することを備える、コンピュータ・プログラム。
【請求項５１】
通信のためのコンピュータ・プログラムであって、
複数のデータ・フレームが複数の無線装置へ送信された第１の送信機会の間に、データ・フレームを含む送信を受信することと、
第２の送信機会の間に、前記受信したデータ・フレームのアクノレッジメントを送信することと、
がプロセッサによって実行可能な命令を備え、前記送信は、各無線装置のためのブロック・アクノレッジメント要求を含む、コンピュータ・プログラム。
【請求項５２】
通信のためのコンピュータ・プログラムであって、
複数のデータ・フレームが複数の無線装置へ送信された第１の送信機会の間に、データ・フレームを含む送信を受信することと、
第２の送信機会の間に、前記受信したデータ・フレームのアクノレッジメントを送信することと、
がプロセッサによって実行可能な命令を備え、前記第２の送信機会の間に、前記受信したデータ・フレームのアクノレッジメントを送信することは、他の無線装置によって送信されたアクノレッジメントと同時に前記アクノレッジメントを送信することを備える、コンピュータ・プログラム。
【請求項５３】
少なくとも１つのアンテナと、
第１の送信機会の間に、複数の無線装置へ、データ・フレームを含む送信を前記アンテナを介して送信する送信機と、
１つ又は複数の第２の送信機会の間に、前記アンテナを介して、前記複数の無線装置から前記データ・フレームの受信のアクノレッジメントを受信する受信機と、
を備え前記送信は、各無線装置のためのブロック・アクノレッジメント要求を含む、無線アクセス・ポイント。
【請求項５４】
少なくとも１つのアンテナと、
第１の送信機会の間に、複数の無線装置へ、データ・フレームを含む送信を前記アンテナを介して送信する送信機と、
１つ又は複数の第２の送信機会の間に、前記アンテナを介して、前記複数の無線装置から前記データ・フレームの受信のアクノレッジメントを受信する受信機と、
を備え、前記データ・フレームの受信のアクノレッジメントを受信することは、空間分割多元接続（SDMA）スキームにより複数のアクノレッジメントを同時に受信することを備える、無線アクセス・ポイント。
【請求項５５】
少なくとも１つのアンテナと、
複数のデータ・フレームが複数の無線装置へ送信された第１の送信機会の間に、前記アンテナを介して、データ・フレームを含む送信を受信する受信機と、
第２の送信機会の間に、前記アンテナを介して、前記データ・フレームの受信のアクノレッジメントを送信する送信機と、
を備え、前記送信は、各無線装置のためのブロック・アクノレッジメント要求を含む、無線局。
【請求項５６】
少なくとも１つのアンテナと、
複数のデータ・フレームが複数の無線装置へ送信された第１の送信機会の間に、前記アンテナを介して、データ・フレームを含む送信を受信する受信機と、
第２の送信機会の間に、前記アンテナを介して、前記データ・フレームの受信のアクノレッジメントを送信する送信機と、
を備え、前記第２の送信機会の間に、前記受信したデータ・フレームのアクノレッジメントを送信することは、他の無線装置によって送信されたアクノレッジメントと同時に前記アクノレッジメントを送信することを備える、無線局。
【手続補正３】
【補正対象書類名】明細書
【補正対象項目名】００８２
【補正方法】変更
【補正の内容】
【００８２】
上記は本開示の態様に向けられるが、本開示の他の及び更なる態様が、本開示の基本的範囲から逸脱することなく考案されうる。本開示の範囲は、以下の特許請求の範囲によって決定される。
以下に、本願出願の当初の特許請求の範囲に記載された発明を付記する。
［Ｃ１］
複数の無線装置へデータを送信するための方法であって、
第１の送信機会の間に、前記複数の無線装置へ、各無線装置のためのデータ・フレームを含む送信を送信することと、
１つ又は複数の第２の送信機会の間に、前記複数の無線装置から前記データ・フレームの受信のアクノレッジメントを受信することと、
を備える方法。
［Ｃ２］
前記送信は、前記第２の送信機会の開始を示すフレームを含む、［Ｃ１］に記載の方法。
［Ｃ３］
前記送信は、各無線装置のためのブロック・アクノレッジメント要求を含む、［Ｃ１］に記載の方法。
［Ｃ４］
前記送信は、空間分割多元接続（SDMA）スキームにより送信される、［Ｃ１］に記載の方法。
［Ｃ５］
前記データ・フレームの受信のアクノレッジメントを受信することは、空間分割多元接続（SDMA）スキームにより複数のアクノレッジメントを同時に受信することを備える、［Ｃ１］に記載の方法。
［Ｃ６］
前記データ・フレームは、ユーザ・データグラム・プロトコル（UDP）フレームを含む、［Ｃ１］に記載の方法。
［Ｃ７］
前記データ・フレームは、送信制御プロトコル（TCP）フレームを含む、［Ｃ１］に記載の方法。
［Ｃ８］
前記データ・フレームは、ストリーミング・ビデオ・データを含む、［Ｃ１］に記載の方法。
［Ｃ９］
無線通信の方法であって、
複数のデータ・フレームが複数の無線装置へ送信された第１の送信機会の間に、データ・フレームを含む送信を受信することと、
第２の送信機会の間に、前記データ・フレームの受信のアクノレッジメントを送信することと、
を備える方法。
［Ｃ１０］
前記送信は、前記第２の送信機会の開始を示すフレームを含む、［Ｃ９］に記載の方法。
［Ｃ１１］
前記送信は、各無線装置のためのブロック・アクノレッジメント要求を含む、［Ｃ９］に記載の方法。
［Ｃ１２］
前記データ・フレームは、空間分割多元接続（SDMA）スキームにより前記複数の無線装置へ同時に送信された、［Ｃ９］に記載の方法。
［Ｃ１３］
前記第２の送信機会の間に、前記受信したデータ・フレームのアクノレッジメントを送信することは、他の無線装置によって送信されたアクノレッジメントと同時に前記アクノレッジメントを送信することを備える、［Ｃ９］に記載の方法。
［Ｃ１４］
前記データ・フレームは、ユーザ・データグラム・プロトコル（UDP）フレームを含む、［Ｃ９］に記載の方法。
［Ｃ１５］
前記データ・フレームは、送信制御プロトコル（TCP）フレームを含む、［Ｃ９］に記載の方法。
［Ｃ１６］
前記データ・フレームは、ストリーミング・ビデオ・データを含む、［Ｃ９］に記載の方法。
［Ｃ１７］
複数の無線装置へデータを送信するための装置であって、
第１の送信機会の間に、前記複数の無線装置へ、データ・フレームを含む送信を送信する送信機と、
１つ又は複数の第２の送信機会の間に、前記複数の無線装置から前記データ・フレームの受信のアクノレッジメントを受信する受信機と、
を備える装置。
［Ｃ１８］
前記送信は、前記第２の送信機会の開始を示すフレームを含む、［Ｃ１７］に記載の装置。
［Ｃ１９］
前記送信は、各無線装置のためのブロック・アクノレッジメント要求を含む、［Ｃ１７］に記載の装置。
［Ｃ２０］
前記送信は、空間分割多元接続（SDMA）スキームにより送信される、［Ｃ１７］に記載の装置。
［Ｃ２１］
前記受信機は、空間分割多元接続（SDMA）スキームにより複数のアクノレッジメントを同時に受信する、［Ｃ１７］に記載の装置。
［Ｃ２２］
前記データ・フレームは、ユーザ・データグラム・プロトコル（UDP）フレームを含む、［Ｃ１７］に記載の装置。
［Ｃ２３］
前記データ・フレームは、送信制御プロトコル（TCP）フレームを含む、［Ｃ１７］に記載の装置。
［Ｃ２４］
前記データ・フレームは、ストリーミング・ビデオ・データを含む、［Ｃ１７］に記載の装置。
［Ｃ２５］
無線通信のための装置であって、
複数のデータ・フレームが複数の無線装置へ送信された第１の送信機会の間に、データ・フレームを含む送信を受信する受信機と、
第２の送信機会の間に、前記データ・フレームの受信のアクノレッジメントを送信する送信機と、
を備える装置。
［Ｃ２６］
前記送信は、前記第２の送信機会の開始を示すフレームを含む、［Ｃ２５］に記載の装置。
［Ｃ２７］
前記送信は、各無線装置のためのブロック・アクノレッジメント要求を備える、［Ｃ２５］に記載の装置。
［Ｃ２８］
前記データ・フレームは、空間分割多元接続（SDMA）スキームにより前記複数の無線装置へ同時に送信された、［Ｃ２５］に記載の装置。
［Ｃ２９］
前記送信機は、他の無線装置によって送信されるアクノレッジメントと同時に前記アクノレッジメントを送信する、［Ｃ２５］に記載の装置。
［Ｃ３０］
前記データ・フレームは、ユーザ・データグラム・プロトコル（UDP）フレームを含む、［Ｃ２５］に記載の装置。
［Ｃ３１］
前記データ・フレームは、送信制御プロトコル（TCP）フレームを含む、［Ｃ２５］に記載の装置。
［Ｃ３２］
前記データ・フレームは、ストリーミング・ビデオ・データを含む、［Ｃ２５］に記載の装置。
［Ｃ３３］
複数の無線装置へデータを送信するための装置であって、
第１の送信機会の間に、前記複数の無線装置へ、データ・フレームを含む送信を送信する手段と、
１つ又は複数の第２の送信機会の間に、前記複数の無線装置から前記データ・フレームの受信のアクノレッジメントを受信する手段と、
を備える装置。
［Ｃ３４］
前記送信は、前記第２の送信機会の開始を示すフレームを含む、［Ｃ３３］に記載の装置。
［Ｃ３５］
前記送信は、各無線装置のためのブロック・アクノレッジメント要求を含む、［Ｃ３３］に記載の装置。
［Ｃ３６］
前記送信は、空間分割多元接続（SDMA）スキームにより送信される、［Ｃ３３］に記載の装置。
［Ｃ３７］
前記受信する手段は、空間分割多元接続（SDMA）スキームにより複数のアクノレッジメントを同時に受信する、［Ｃ３３］に記載の装置。
［Ｃ３８］
前記データ・フレームは、ユーザ・データグラム・プロトコル（UDP）フレームを含む、［Ｃ３３］に記載の装置。
［Ｃ３９］
前記データ・フレームは、送信制御プロトコル（TCP）フレームを含む、［Ｃ３３］に記載の装置。
［Ｃ４０］
前記データ・フレームは、ストリーミング・ビデオ・データを含む、［Ｃ３３］に記載の装置。
［Ｃ４１］
無線通信のための装置であって、
複数のデータ・フレームが複数の無線装置へ送信された第１の送信機会の間に、データ・フレームを含む送信を受信する手段と、
第２の送信機会の間に、前記受信したデータ・フレームのアクノレッジメントを送信する手段と、
を備える装置。
［Ｃ４２］
前記送信は、前記第２の送信機会の開始を示すフレームを含む、［Ｃ４１］に記載の装置。
［Ｃ４３］
前記送信は、各無線装置のためのブロック・アクノレッジメント要求を含む、［Ｃ４１］に記載の装置。
［Ｃ４４］
前記データ・フレームは、空間分割多元接続（SDMA）スキームにより前記複数の無線装置へ同時に送信された、［Ｃ４１］に記載の装置。
［Ｃ４５］
前記受信したデータ・フレームのアクノレッジメントを送信する手段は、他の無線装置によって送信されたアクノレッジメントと同時に前記アクノレッジメントを送信する、［Ｃ４１］に記載の装置。
［Ｃ４６］
前記データ・フレームは、ユーザ・データグラム・プロトコル（UDP）フレームを含む、［Ｃ４１］に記載の装置。
［Ｃ４７］
前記データ・フレームは、送信制御プロトコル（TCP）フレームを含む、［Ｃ４１］に記載の装置。
［Ｃ４８］
前記データ・フレームは、ストリーニング・ビデオ・データを含む、［Ｃ４１］に記載の装置。
［Ｃ４９］
通信のためのコンピュータ・プログラム製品であって、
第１の送信機会の間に、複数の無線装置へ、データ・フレームを含む送信を送信することと、
１つ又は複数の第２の送信機会の間に、前記複数の無線装置から前記データ・フレームのアクノレッジメントを受信することと、
が実行可能な命令を備えるコンピュータ読取可能媒体を備えるコンピュータ・プログラム製品。
［Ｃ５０］
通信のためのコンピュータ・プログラム製品であって、
複数のデータ・フレームが複数の無線装置へ送信された第１の送信機会の間に、データ・フレームを含む送信を受信することと、
第２の送信機会の間に、前記受信したデータ・フレームのアクノレッジメントを送信することと、
が実行可能な命令を備えるコンピュータ読取可能媒体を備えるコンピュータ・プログラム製品。
［Ｃ５１］
少なくとも１つのアンテナと、
第１の送信機会の間に、複数の無線装置へ、データ・フレームを含む送信を前記アンテナを介して送信する送信機と、
１つ又は複数の第２の送信機会の間に、前記アンテナを介して、前記複数の無線装置から前記データ・フレームの受信のアクノレッジメントを受信する受信機と、
を備える無線アクセス・ポイント。
［Ｃ５２］
少なくとも１つのアンテナと、
複数のデータ・フレームが複数の無線装置へ送信された第１の送信機会の間に、前記アンテナを介して、データ・フレームを含む送信を受信する受信機と、
第２の送信機会の間に、前記アンテナを介して、前記データ・フレームの受信のアクノレッジメントを送信する送信機と、
を備える無線局。
【外国語明細書】
2014147083000001.pdf